(57)【特許請求の範囲】
【請求項１】
第１の個包装体と、第２の個包装体と、固定部とを具備する個包装製品であって、
第１の個包装体が、吸収性物品と、当該吸収性物品を包装する包装用シートとを含み、
第２の個包装体が、ワイプスと、当該ワイプスを保護する包装体とを含み、
前記個包装製品が、（ｉ）第１の個包装体の、前記固定部と接する部分であって、凹凸部を含むもの、（ｉｉ）第２の個包装体の、前記固定部と接する部分であって、凹凸部を含むもの、ここで前記固定部が、ホットメルト接着剤である、（ｉｉｉ）前記固定部と第１の個包装体との間に具備される離型部、及び（ｉｖ）第２の個包装体の、前記固定部と接する部分であって、コロナ放電処理されたものから成る群から選択される少なくとも１つを含み、
前記固定部が、前記固定部の第２の個包装体に対する固定強度が、前記固定部の第１の個包装体に対する固定強度よりも高く、第２の個包装体を第１の個包装体から取り外した後に、前記固定部の少なくとも一部が第２の個包装体側に残るように、第２の個包装体を第１の個包装体に固定し、そして
第２の個包装体を第１の個包装体から取り外した後の固定部の少なくとも一部が、貼付力を有することを特徴とする、
個包装製品。
【請求項２】
第２の個包装体を第１の個包装体から取り外した後に、前記固定部の少なくとも５０質量％が第２の個包装体側に残る、請求項１に記載の個包装製品。
【請求項３】
前記包装体が、タブが形成されるように略矩形の包装材の両端領域を互いにシールして筒状体を形成するとともに、当該筒状体の両側部をシールすることにより形成された、タブを具備するピロー型包装体である、請求項１又は２に記載の個包装製品。
【請求項４】
前記タブが、第２の個包装体の、第１の個包装体と反対側の面にある、請求項３に記載の個包装製品。
【請求項５】
前記タブに、前記ワイプスを簡易に取り出すことができるような脆弱線又は切込み線が入れられている、請求項４に記載の個包装製品。
【請求項６】
前記タブが、第２の個包装体の、第１の個包装体と対向する面にあり、前記タブが、前記対向する面を２つの領域に区画し、そして前記タブが、前記２つの領域の一方の領域の上に重ねられており、
第２の個包装体が、前記タブの外面と、前記２つの領域の他方の領域とから形成される範囲内で固定部と接している、請求項３に記載の個包装製品。
【請求項７】
前記吸収性物品が、生理用ナプキン、パンティーライナー、陰唇間パッド、紙オムツ及びタンポンから成る群から選択される、請求項１〜６のいずれか一項に記載の個包装製品。
【請求項８】
請求項１〜７のいずれか一項に記載の個包装製品の製造方法であって、
第１の個包装体の前記固定部と接する部分が凹凸部を含み、
次の各ステップ、
第２の個包装体に固定部を適用するステップ、次いで
第１の個包装体の凹凸部を含む部分を、前記固定部に固定するステップ、
を含む方法。
【請求項９】
前記固定部が感圧型両面接着テープである、請求項１〜７のいずれか一項に記載の個包装製品の製造方法であって、
次の各ステップ、
前記固定部を第１の圧力で第２の個包装体に固定するステップ、次いで
前記固定部を、第１の圧力よりも小さい第２の圧力で第１の個包装体に固定するステップ、
を含む方法。
【発明の詳細な説明】
【技術分野】
【０００１】
本発明は、第１の個包装体と、第２の個包装体と、固定部とを具備する個包装製品に関する。
【背景技術】
【０００２】
従来、生理用ナプキン、パンティーライナー、紙オムツ等の吸収性物品を、１つずつ包装用シートで包んだ個包装吸収性物品が知られている。吸収性物品を個包装化することにより、中の吸収性物品を１つずつ、簡易且つ衛生的に持ち運ぶことができる。
【０００３】
また、特許文献１に示されるように、拭き取り用物品、例えば、拭き取りワイプが取り付けられた個包装吸収性物品も知られている。個包装吸収性物品に拭き取りワイプを取り付けることにより、吸収性物品、例えば、生理用ナプキンの交換の際に、汚れた場所を拭き取りワイプで拭くことができるので便利である。
【０００４】
しかし、特許文献１の個包装吸収性物品では、特許文献１の［００１１］に記載されるように、吸収性物品を含む第１の部材と、拭き取りワイプを含む第２の部材との接合関係（接合手段）は、永久的であっても一時的であってもよいと記載されるに過ぎず、個包装吸収性物品の使用時を考慮した設計がなされていない。
【０００５】
一般的に、吸収性物品、例えば、生理用ナプキンを交換する場合には、個包装された生理用ナプキンを開封し、新しい生理用ナプキンを包装用シートから分離し、使い終えた生理用ナプキンを先ほどの包装用シートに固定し、そして当該包装用シートで使い終えた生理用ナプキンをくるむのが一般的な手順である。
個包装された生理用ナプキンに拭き取りワイプが取り付けられている場合には、くるむ際に拭き取りワイプが邪魔になるので、事前に拭き取りワイプを包装用シートから引き剥がす等の対応が必要になる。
【先行技術文献】
【特許文献】
【０００６】
【特許文献１】特表第２００９−５１８２４８号公報
【発明の概要】
【発明が解決しようとする課題】
【０００７】
従って、使用時を考慮した設計がなされていない特許文献１に記載される個包装吸収性物品を用いようとすると、拭き取りワイプを、生理用ナプキンの包装用シートから取り外した後、棚等の上に置く必要があるが、棚がない場合、又は棚があったとしても衛生的でない場合等には、生理用ナプキンを交換する間、取り外した拭き取りワイプを落とさないように片方の手で持ち続ける必要があり、生理用ナプキンを正しく装着することが難しい、又は装着に時間かかる等の問題が生ずる。
従って、本発明は、取り外した第２の個包装体を、壁、ドア、衣服等に貼り付けることができ、両手が自由になり、吸収性物品の交換が簡易である個包装製品を提供することを目的とする。
【課題を解決するための手段】
【０００８】
本発明者らは、上記課題を解決するために鋭意検討した結果、第１の個包装体と、第２の個包装体と、固定部とを具備する個包装製品であって、第１の個包装体が、吸収性物品と、当該吸収性物品を包装する包装用シートとを含み、第２の個包装体が、ワイプスと、当該ワイプスを保護する包装体とを含み、上記固定部が、上記固定部の第２の個包装体に対する固定強度が、上記固定部の第１の個包装体に対する固定強度よりも高く、第２の個包装体を第１の個包装体から取り外した後に、上記固定部の少なくとも一部が第２の個包装体側に残るように、第２の個包装体を第１の個包装体に固定し、そして第２の個包装体を第１の個包装体から取り外した後の固定部の少なくとも一部が、貼付力を有することを特徴とする個包装製品より、上記課題を解決できることを見出し、本発明を完成するに至った。
【０００９】
具体的には、本発明は以下の態様に関する。
［態様１］
第１の個包装体と、第２の個包装体と、固定部とを具備する個包装製品であって、
第１の個包装体が、吸収性物品と、当該吸収性物品を包装する包装用シートとを含み、
第２の個包装体が、ワイプスと、当該ワイプスを保護する包装体とを含み、
上記固定部が、上記固定部の第２の個包装体に対する固定強度が、上記固定部の第１の個包装体に対する固定強度よりも高く、第２の個包装体を第１の個包装体から取り外した後に、上記固定部の少なくとも一部が第２の個包装体側に残るように、第２の個包装体を第１の個包装体に固定し、そして
第２の個包装体を第１の個包装体から取り外した後の固定部の少なくとも一部が、貼付力を有することを特徴とする、
個包装製品。
【００１０】
［態様２］
第２の個包装体を第１の個包装体から取り外した後に、上記固定部の少なくとも５０質量％が第２の個包装体側に残る、態様１に記載の個包装製品。
［態様３］
第１の個包装体の、上記固定部と接する部分が、凹凸部を含む、態様１又は２に記載の個包装製品。
【００１１】
［態様４］
第２の個包装体の、上記固定部と接する部分が、凹凸部を含み、そして上記固定部が、ホットメルト接着剤である、態様１〜３のいずれか１つに記載の個包装製品。
［態様５］
上記固定部と第１の個包装体との間に、離型部をさらに具備する、態様１〜４のいずれか１つに記載の個包装製品。
【００１２】
［態様６］
第２の個包装体の、上記固定部と接する部分が、コロナ放電処理された部分である、態様１〜５のいずれか１つに記載の個包装製品。
［態様７］
上記固定部が、メカニカルファスナーのフック部を含み、
上記包装用シートが、ループ部を含むシートであり、
上記固定部が、上記フック部と、ループ部との連結を介して、第２の個包装体を第１の個包装体に固定する、態様１〜６のいずれか１つに記載の個包装製品。
【００１３】
［態様８］
上記包装体が、タブが形成されるように略矩形の包装材の両端領域を互いにシールして筒状体を形成するとともに、当該筒状体の両側部をシールすることにより形成された、タブを具備するピロー型包装体である、態様１〜７のいずれか１つに記載の個包装製品。
［態様９］
上記タブが、第２の個包装体の、第１の個包装体と反対側の面にある、態様８に記載の個包装製品。
【００１４】
［態様１０］
上記タブに、上記ワイプスを簡易に取り出すことができるような脆弱線又は切込み線が入れられている、態様９に記載の個包装製品。
［態様１１］
上記タブが、第２の個包装体の、第１の個包装体と対向する面にあり、上記タブが、上記対向する面を２つの領域に区画し、そして上記タブが、上記２つの領域の一方の領域の上に重ねられており、
第２の個包装体が、上記タブの外面と、上記２つの領域の他方の領域とから形成される範囲内で固定部と接している、態様８に記載の個包装製品。
【００１５】
［態様１２］
上記吸収性物品が、生理用ナプキン、パンティーライナー、陰唇間パッド、紙オムツ及びタンポンから成る群から選択される、態様１〜１１のいずれか１つに記載の個包装製品。
［態様１３］
態様３又は４に記載の個包装製品の製造方法であって、
次の各ステップ、
第２の個包装体に固定部を適用するステップ、次いで
第１の個包装体の凹凸部を含む部分を、上記固定部に固定するステップ、
を含む方法。
【００１６】
［態様１４］
上記固定部が感圧型両面接着テープである、態様１〜６のいずれか１つに記載の個包装製品の製造方法であって、
次の各ステップ、
上記固定部を第１の圧力で第２の個包装体に固定するステップ、次いで
上記固定部を、第１の圧力よりも小さい第２の圧力で第１の個包装体に固定するステップ、
を含む方法。
【発明の効果】
【００１７】
本発明の個包装製品は、取り外した第２の個包装体を、壁、ドア、衣服等に貼り付けることができ、両手が自由になり、吸収性物品の交換が簡易である。
また、本発明の個包装製品は、第２の個包装体を第１の個包装体から取り外した後に、固定部の少なくとも一部が第２の個包装体側に残るので、第２の個包装体を使用済みの吸収性物品を包装用シートでくるんで廃棄する際の固定具として用いることができる。
【図面の簡単な説明】
【００１８】
【図１】図１は、本発明の個包装製品の一態様の斜視図である。
【図２】図２は、本発明の個包装製品の使用を説明するための図である。
【図３】図３は、本発明の個包装製品の態様の１つを示す断面図である。
【図４】図４は、本発明の個包装製品の態様の１つを示す断面図である。
【図５】図５は、本発明の個包装製品の態様の１つを示す断面図である。
【図６】図６は、本発明の個包装製品の態様の１つを示す断面図である。
【図７】図７は、本発明の個包装製品の態様の１つを示す断面図である。
【図８】図８は、本発明の個包装製品の態様の１つを示す断面図である。
【図９】図９は、タブに取り付けられた切込み線を説明するための斜視図である。
【図１０】図１０は、本発明の個包装製品の態様の１つを示す断面図である。
【図１１】図１１は、図１０に示される第２の個包装体３を理解するための図である。
【図１２】図１２は、第１の個包装体が個包装生理用ナプキンである個包装製品の態様の１つの断面図である。
【発明を実施するための形態】
【００１９】
本発明の個包装製品について、以下、必要に応じて図面を用いて詳細に説明する。
図１は、本発明の個包装製品の一態様の斜視図であり、そして図２は、本発明の個包装製品の使用を説明するための図である。
図１の個包装製品１において、第２の個包装体３が、固定部６により第１の個包装体２に固定されている。第２の個包装体３を第１の個包装体２から取り外すと、図２に示すように、固定部６の少なくとも一部は、第２の個包装体３側に残る。従って、取り外した第２の個包装体３を、固定部６を利用して、トイレ内の壁、ドア、衣服等に貼り付け、自由になった両手を用いて、吸収性物品の交換等をすることができる。
なお、図１において、符号４は、第１の個包装体２の包装用シートを示し、符号５は、シールラインを示す。
【００２０】
図３は、本発明の個包装製品の態様の１つを示す断面図であり、図１のＡ−Ａ方向に相当する断面図である。図３の個包装製品１では、第２の個包装体３が、固定部６により第１の個包装体２に固定されている。第１の個包装体２では、吸収性物品７が包装用シート４で包装され、そして第２の個包装体３では、ワイプス９が包装体８に包装されている。
【００２１】
図３の個包装製品１では、固定部６と第１の個包装体２との間に離型部１０があるので、固定部６の第２の個包装体３に対する固定強度が、固定部６の第１の個包装体２に対する固定強度よりも高く、第２の個包装体３を第１の個包装体２から取り外した際に、固定部６の少なくとも一部が第２の個包装体３側に残る。
図３の態様は、本明細書の他の態様と自由に組み合わせることができる。
【００２２】
なお、本発明では、第２の個包装体を第１の個包装体から取り外した際に、固定部の少なくとも５０質量％が第１の個包装体側に残ることが好ましく、固定部の少なくとも８０質量％が第１の個包装体側に残ることがより好ましく、そして固定部の少なくとも９０質量％が第１の個包装体側に残ることがさらに好ましい。
【００２３】
第１の個包装体における吸収性物品としては、包装用シートにより個包装化された形態で販売されうるものであれば特に制限されないが、例えば、生理用ナプキン、パンティーライナー、陰唇間パッド、紙オムツ及びタンポンが挙げられる。第１の個包装体の包装用シートとしては、個包装のために当技術分野で用いられるものであれば特に制限されないが、織布、不織布、フェルト、パイル、フィルム、紙、及びこれらのラミネート等を挙げることができる。また、上記吸収性物品が生理用ナプキン、パンティーライナー等である場合には、吸収性物品をショーツに貼り付けるための粘着部分を保護するために、シリコーン等の離型処理を加えた包装用シートを用いることができる。
【００２４】
吸収性物品が生理用ナプキンである第１の個包装体としては、特開平９−１０２５７号公報、特開平９−１０２５８号公報、特開２００３−１７５９９０号公報、並びに特開２００６−２８０５２２号公報に記載される生理用ナプキン包装体をそのまま用いることができる。
吸収性物品がタンポンである第１の個包装体としては、特開２００８−２５９５８３号公報に記載されるものをそのまま用いることができる。
吸収性物品が陰唇間パッドである第１の個包装体としては、国際公開第２００２／０９４１４９号に記載されるものをそのまま用いることができる。
【００２５】
本発明に用いられるワイプスとしては、当技術分野で、一般的にワイプスとして用いられているものであれば特に制限されず、好適に用いることができる。本発明に用いられるワイプスは、ドライタイプ又はウェットタイプであることができる。上記ワイプスの素材としては、親水性繊維、又は親水性繊維及び非親水性繊維の混合物から成る不織布又は織布であることができる。上記親水性繊維としては、再生セルロース繊維、例えば、レーヨン、天然繊維、例えば、コットン、パルプ等が挙げられ、そして上記非親水性繊維としては、ポリエステル、ポリプロピレン等が挙げられる。
上記ワイプスは、使用後にトイレに流される場合があることを考慮すると、水解性を有するもの、特に水解性を有する不織布であることが好ましい。
【００２６】
上記ワイプスには、湿潤強度をさらに高めるために、バインダーを添加することもできる。上記バインダーとして、例えば、カルボキシメチルセルロース、メチルセルロース、エチルセルロース、ベンジルセルロース等のアルキルセルロース、ポリビニルアルコール、スルホン酸基又はカルボキシル基を所定量含有する変性ポリビニルアルコール、ポリアミドエピクロロヒドリン等を挙げることができる。
【００２７】
上記ワイプスがウェットタイプである場合であって、その素材が親水性繊維及び非親水性繊維の混合物から成るときには、上記親水性繊維の比率は、全繊維の質量に基づいて、４０質量％以上であることが好ましい。ワイプスが後述の薬液を保持しやすくなるからである。
上記ワイプスとしては、坪量が２０〜１００ｇ/ｍ2であることが、使いやすさの観点から好ましい。
【００２８】
上記ワイプスがウェットタイプである場合には、当該ワイプスは、ワイプスの質量に対して、１００〜５００質量％の薬液を含むことができる。当該薬液としては、精製水に必要最小限度の防腐剤を添加したものを挙げることができる。また、上記薬液には、必要に応じて、当技術分野で用いられている各種添加剤、例えば、界面活性剤、保湿剤、清涼感付与剤、エモリエント剤、ｐＨ調整剤、香料、酸化防止剤、キレート剤、植物エキス、褐色防止剤、消炎剤、皮膚賦活剤、収斂剤、触感改善剤を１種又は２種以上添加することができる。
【００２９】
上記ワイプスを保護する包装体の形状としては、中のワイプスを保護することができるものであれば特に制限されないが、例えば、ピロー型包装体、三方シール型包装体、四方シール型包装体であることができる。
本明細書において、「ピロー型包装体」とは、包装材を円筒形にし、その両端をシールすることにより形成される包装である。また、後述の「タブを具備するピロー型包装体」をも含む概念である。また、「三方シール型包装体」とは、包装材を二つ折りにし、二つ折り部分以外の三方をシールすることにより形成される包装である。そして「四方シール型包装体」は、二枚の包装材を重ね、四方をシールすることにより形成される包装である。
【００３０】
上記ワイプスを保護する包装体の素材としては、当技術分野で、一般的に包装用として用いられているものであれば特に制限されず、好適に使用することができるが、例えば、ポリエステル、ポリプロピレン、ポリエチレンテレフタレート等のフィルム、アルミ箔、紙等を単独で又は複層化したものを用いることができる。上述の三方シール型包装体及び四方シール型包装体では、シール部分は、上記フィルム部分を熱、超音波等で溶融接着するか、又は後述のホットメルト接着剤等を用いて接着することにより形成されうる。
【００３１】
上記固定部としては、当技術分野で通常用いられている固定手段を制限なく用いることができるが、例えば、接着剤、両面接着テープ等を挙げることができる。上記接着剤には、感圧型接着剤が含まれ、そして上記両面接着テープには、感圧型両面接着テープが含まれる。
上記接着剤としては、例えば、当技術分野で通常用いられているホットメルト接着剤を、特に制限なく用いることができる。当技術分野で用いられるホットメルト接着剤には、通常、熱可塑性ポリマー、粘着付与性樹脂、可塑剤、酸化防止剤、紫外線吸収剤等が含まれている。上記粘着付与性樹脂は、ホットメルト接着剤の溶融時の粘着性だけでなく、冷却後の粘着性をも付与する成分であり、そして上記可塑剤は、加熱流動性を向上させる他に、冷却後にホットメルト接着剤に可撓性を付与することができる成分である。
【００３２】
当技術分野で通常用いられているホットメルト接着剤には、上記粘着付与性樹脂及び／又は可塑剤が含まれているので、冷却後、例えば、第２の個包装体を第１の個包装体から取り外した後にも、一定の貼付力を有することができる。
上記熱可塑性ポリマーとしては、合成ゴム、例えば、ＳＩＳ，ＳＢＳ，ＳＥＰＳ及びＳＥＢＳ、ＥＶＡ、並びにポリオレフィン、例えば、ＰＥ及びＰＰ系ポリマーが挙げられ、上記粘着付与性樹脂としては、例えば、天然樹脂、例えば、ロジン系樹脂及びテルペン系樹脂、並びに合成樹脂、例えば、石油樹脂が挙げられ、そして上記可塑剤としては、パラフィン系オイル、ナフテン系オイル、天然ワックス、合成ワックス等が挙げられる。
【００３３】
上記ホットメルト接着剤としては、例えば、ポリオレフィン（例えば、ポリエチレン及びポリプロピレン）系ホットメルト接着剤、エチレン・酢酸ビニル共重合体系ホットメルト接着剤、合成ゴム（例えば、スチレン系ポリマー、ブタジエン系ポリマー、イソプレン系ポリマー）系ホットメルト接着剤、アクリル樹脂系粘着剤等が挙げられる。
【００３４】
また、上記感圧型接着剤、感圧型両面接着テープ等も、経時で貼付力が失われることが少ないので、第２の個包装体を第１の個包装体から取り外した後に、固定部の少なくとも一部が、一定の貼付力を有することができる。
本発明に用いることができる感圧型両面接着テープとしては、当技術分野で通常用いられている感圧型両面接着テープを制限なく用いることができ、例えば、住友３Ｍ（株）から市販されているＡＴＧ  Ａｄｈｅｓｉｖｅ  Ｔｒａｎｓｆｅｒ  Ｔａｐｅ  ９２４が挙げられる。
【００３５】
上記離型部としては、当技術分野で、通常用いられている離型シートであることができる。上記離型シートとしては、例えば、表面エネルギーが小さいシート、例えば、シリコーン系化合物、フッ素系化合物等がコーティングされたシート、テフロン（登録商標）（商標）シートを挙げることができる。表面エネルギーが小さいシートを用いることにより、上記固定部の第１の個包装体に対する固定強度を低くすることができる。
【００３６】
また、上記離型部は、離型処理を施された、第１の個包装体の包装用シートの一部であってもよい。例えば、上記包装用シートの表面の表面エネルギーを下げた部分、例えば、シリコーン系化合物、フッ素系化合物を塗布した部分が、離型処理を施された、第１の個包装体の包装用シートの一部に含まれる。
また、上記離型部には、固定部とともに剥離し、上記固定部の第１の個包装体に対する固定強度を低くすることができるもの、例えば、印刷部が含まれる。印刷部の第１の個包装体に対する付着強度が、上記固定部の第１の個包装体に対する固定強度よりも小さくすると、第２の個包装体を第１の個包装体から取り外した後に、固定部の少なくとも一部が第２の個包装体側に残りやすい。
【００３７】
上記離型部として印刷部が用いられた場合には、上記印刷部は、第１の個包装体の、固定部と接する面の一部になされていることが好ましい。第１の個包装体の、固定部と接する面の全面に印刷部があると、第２の個包装体を第１の個包装体から取り外した際に、第２の個包装体側に残った固定部のうち、第２の個包装体に接していない部分が、全面印刷部で覆われ、第２の個包装体を壁、ドア、衣服等に貼り付けることが難しくなるからである。
【００３８】
図４は、本発明の個包装製品の態様の１つを示す断面図である。図４はまた、図１のＡ−Ａ方向に相当する断面図である。図４の個包装製品１は、第２の個包装体３の、固定部６と接する部分の少なくとも一部に凹凸部１１があり、第２の個包装体３の凹凸部１１を含む部分に固定部６を適用した後、例えば、塗工した後、第１の個包装体２を、固定部６に固定することにより製造されたものである。
【００３９】
図４の個包装製品１では、第２の個包装体が凹凸部１１を含み、固定部６が第２の個包装体３に接する面積が、固定部６が第１の個包装体２に接する面積よりも大きくなるので、固定部６の第２の個包装体３に対する固定強度が、固定部６の第１の個包装体２に対する固定強度よりも高くなり、第２の個包装体３を第１の個包装体２から取り外した際に、固定部６の少なくとも一部が第２の個包装体３側に残ることができる。
【００４０】
凹凸部１１としては、エンボス部、折り目部、しわ部、ニードル状部材により形成されたスクラッチ部等が挙げられるが、これらに限定されるものではない。
図４の個包装製品１では、固定部６は、経時で、その粘度が大きくなるもの、又は固定力が小さくなるものが好ましい。図４の個包装製品１では、固定部又は固定部を形成する材料が、第２の個包装体に適用され（例えば、塗布され）、次いで第１の個包装体に適用される（例えば、固定される）ので、例えば、その粘度が経時で大きくなる固定部又は固定部を形成する材料を用いると、第１の個包装体への接触面積が第２の個包装体への接触面積よりも小さくなりやすいからである。
上記固定部としては、経時で温度が下がり、粘度が上昇するホットメルト接着剤が挙げられる。
【００４１】
固定部としてホットメルト接着剤を用いた場合には、第２の個包装体にホットメルト接着剤を流し込んだ際、高温で低粘度のホットメルト接着剤が凹凸部の凹部内にもしっかりと入り込んで、投錨効果を得ることができる。さらに、第２の個包装体の包装体の素材として織布、不織布等が用いられた場合には、ホットメルト接着剤が不織布の各繊維間に入り込み、より高い投錨効果を得ることができる。
さらに、ホットメルト接着剤は、冷却後にその固定力がある程度下がる。従って、ホットメルト接着剤は、固定部として用いられた場合、壁、ドア、衣服等に貼り付けた後、その貼付強度が適度であり、取り外す際に壁等にホットメルト接着剤が残りにくい。
図４の態様は、本明細書の他の態様と自由に組み合わせることができる。
【００４２】
図５は、本発明の個包装製品の態様の１つを示す断面図である。図５はまた、図１のＡ−Ａ方向に相当する断面図である。図５の個包装製品１は、第１の個包装体２の、固定部６と接する部分の少なくとも一部に凹凸部１１’を有し、そして第２の個包装体３に固定部６を適用した後、例えば、塗工した後、第１の個包装体２の凹凸部１１’を含む部分を、固定部６に固定することにより製造されたものである。
【００４３】
図５の個包装製品１では、第１の個包装体２が凹凸部１１’を含むので、特に、経時で、その粘度が大きくなる固定部、又は固定力が小さくなる固定部が用いられた場合には、固定部６が第１の個包装体２と接する面積、又は固定部６の第１の個包装体２に対する固定強度が小さくなる。従って、第２の個包装体３を第１の個包装体２から取り外した際に、固定部６の少なくとも一部が第２の個包装体３側に残る。
【００４４】
凹凸部１１’としては、上述のエンボス部、折り目部、しわ部、ニードル状部材により形成されたスクラッチ部等が挙げられる。また、凹凸部１１’を有する素材として、織布、不織布、フェルト及びパイル、並びにそれらをポリエチレン等ポリマーでラミネートしたものが挙げられる。
図５の個包装製品１では、図４の個包装製品と同様の理由で、固定部６は、経時により、その粘度が大きくなるもの、又は固定力が小さくなるもの、例えば、ホットメルト接着剤が好ましい。
図５の態様は、本明細書の他の態様と自由に組み合わせることができる。
【００４５】
図６は、本発明の個包装製品の態様の１つを示す断面図である。図６は、他と同様に、図１のＡ−Ａ方向に相当する断面図である。図６の個包装製品１は、第２の個包装体３の、固定部６と接する部分の少なくとも一部に凹凸部１１があり、且つ第１の個包装体２の、固定部６と接する部分の少なくとも一部に凹凸部１１’があり、そして第２の個包装体３の凹凸部１１を含む部分に固定部６を適用した後、例えば、塗工した後、第１の個包装体２の凹凸部１１’を含む部分を、固定部６に固定することにより製造されたものである。
【００４６】
図６に示す態様を採用することにより、固定部の第２の個包装体に対する固定強度と、固定部の第１の個包装体に対する固定強度との差をより大きくし、第２の個包装体を第１の個包装体から取り外した後に、固定部が第２の個包装体側により多く残ることが期待できる。
図６の態様は、本明細書の他の態様と自由に組み合わせることができる。
【００４７】
図７は、本発明の個包装製品の態様の１つを示す断面図であり、他と同様に、図１のＡ−Ａ方向に相当する断面図である。図７の個包装製品１では、固定部６が、メカニカルファスナーのフック部１２である。フック部１２は、第１の個包装体２と対向する部分の少なくとも一部に複数のフックを有する。第１の個包装体２の包装用シート４は、複数のループを含むループ部を含むシートである。固定部は、フック部１２と、包装用シート４のループ部との連結を介して、第２の個包装体３を第１の個包装体２に固定する。
【００４８】
上記メカニカルファスナーは、機械的結合を用いた面状ファスナーであり、例えば、表面に複数の突起、例えば、鉤状、きのこ状、錨状が形成されたフック部と、表面に複数のループが配置されたループ部とを組み合わせたものを挙げることができる。当該メカニカルファスナーは、フック部の複数のフックをループ部の複数のループに係合させることにより、２つの部材を剥離可能なように固定することができる。
フック部１２としては、紙おむつ等の分野で通常使用されているものを用いることができる。上記ループ部を有するシートとしては、織布、不織布、フェルト、パイルが挙げられる。
【００４９】
なお、上記固定部は、少なくとも第１の個包装体と対向する面にフック部を有するが、上記固定部の第２の個包装体と対向する面は、本明細書に開示される任意の固定手段、例えば、フック部、ホットメルト接着剤又は感圧型両面接着テープであることができる。
例えば、上記固定部の第２の個包装体と対向する面がフック部を有する場合には、第２の個包装体の包装体がループ部を有し、且つ第２の個包装体と対向する面のフック部におけるフックの数が、第１の個包装体と対向する面のフック部におけるフックの数よりも多いことが好ましい。固定部の第２の個包装体に対する固定強度が、固定部の第１の個包装体に対する固定強度よりも高くなるからである。
【００５０】
また、上記固定部の第２の個包装体と対向する面が感圧型両面接着テープである場合には、当該感圧型両面接着テープは、当該感圧型両面接着テープの第２の個包装体に対する固定強度が、フック部の第１の個包装体のループ部との間の固定強度よりも高くなるように固定されうる。
図７の個包装製品１では、第１の個包装体２から取り外した第２の個包装体３は、衣服、タオル等のループ部を有する部分に貼り付けることが好ましい。
図７の態様は、本明細書の他の態様と自由に組み合わせることができる。
【００５１】
図８は、本発明の個包装製品の態様の１つを示す断面図であり、第２の個包装体の包装体が、タブを具備するピロー型包装体である態様である。図８の個包装製品１では、タブ１３は、第２の個包装体の、第１の個包装体と反対側の面１５にある。タブを具備するピロー型包装体１４は、例えば、略矩形の包装材を、その両端領域を互いにシールしてタブを有する筒状体を形成するとともに、当該筒状体の両側部をシールすることにより形成することができる。
図８の個包装製品１では、タブ１３は、第２の個包装体の、第１の個包装体と反対側の面１５にあるので、使用者が、タブ１３を把持して、第２の個包装体３を、第１の個包装体２から簡易に取り外すことができる。
【００５２】
従って、図８の個包装製品１では、固定部６が、第２の個包装体の、第１の個包装体と対向する面１６の全面（すなわち、図８の断面図では、Ｌで示される範囲）と接している場合であっても、使用者は、タブ１３を把持して、第２の個包装体３を第１の個包装体２から簡易に取り外すことができる。
また、タブ１３が、第２の個包装体の、第１の個包装体と反対側の面１５にあるので、使用者が、第２の個包装体３を、壁、ドア、衣服等に貼り付けた後にも、タブ１３を把持して、第２の個包装体３を、壁等から簡易に取り外すことができる。
さらに、使用者は、貼り付けられた第２の個包装体を、壁等に貼り付けたまま、タブを引いて中のワイプスを取り出すこともできる。
図８の態様は、本明細書の他の態様と自由に組み合わせることができる。
【００５３】
図９は、タブに取り付けられた切込み線を説明するための斜視図である。図９の個包装製品１は、タブ１３に、中のワイプスを簡易に取り出すことができるような切込み線１７が設けられている。使用者は、第２の個包装体３を、壁、ドア、衣服等に貼り付けたまま、切込み線１７から、タブ１３を図９のＢで示される方向に開封することができる。
切込み線１７の代わりに、脆弱線が設けられていてもよい。
【００５４】
図１０は、本発明の個包装製品の態様の１つを示す断面図であり、第２の個包装体の包装体がタブを具備するピロー型包装体であり、且つタブが、第２の個包装体の、第１の個包装体と対向する面にある態様である。図１１は、図１０に示される第２の個包装体３を理解するための図である。
図１０の個包装製品１の態様では、第２の個包装体３を第１の個包装体２から簡易に取り外すために、第２の個包装体３に自由端（例えば、自由端１８）があることが好ましい。
【００５５】
第２の個包装体３に自由端を設けるための一例として、第２の個包装体３が、他方の領域２０と、タブの外面２１とから構成される領域内（すなわち、図１０の断面図では、Ｌ’で示される範囲内）で固定部６と接し、少なくとも自由端１８を有する態様が挙げられる。
なお、他方の領域２０とは、第２の個包装体の、第１の個包装体と対向する面１６において、タブ１３が区画する２つの領域のうち、タブ１３が重ねられていない領域である。なお、第２の個包装体の、第１の個包装体と対向する面１６において、タブ１３が区画する２つの領域のうち、タブ１３が重ねられている領域を、一方の領域１９と称する。
また、タブの外面２１とは、タブ１３のうち、第２の個包装体の、第１の個包装体と対向する面１６に対向していない（通常、反対側の）面を意味する。なお、タブの内面２２とは、タブ１３のうち、第２の個包装体の、第１の個包装体と対向する面１６に対向する面を意味する。
【００５６】
上記態様により、使用者が、自由端１８を把持して、第２の個包装体３を、第１の個包装体２から簡易に取り外すことができる。さらに、使用者が、第２の個包装体３を、壁、ドア、衣服等に貼り付けた後にも、自由端１８を把持して、第２の個包装体３を、壁等から簡易に取り外すことができる。
図１０の態様は、本明細書の他の態様と自由に組み合わせることができる。
【００５７】
図１２は、本発明の個包装製品の態様の１つであり、第１の個包装体が個包装生理用ナプキンである例である。図１２は、図１のＢ−Ｂ方向に相当する断面図である。
図１２［ａ］では、第２の個包装体３が、固定部６を介して、個包装生理用ナプキン２３に固定されている。個包装生理用ナプキン２３では、生理用ナプキン２４が、３つ折りタイプであり、包装用シート４と共に３つ折りにされると共に、摘持用タブ２５で固定されている。第２の個包装体３は、個包装生理用ナプキン２３の非開封面２６に固定されている。ここで、「非開封面」とは、包装用シートの開封口を有しない面を意味する。
図１２［ｂ］では、第２の個包装体３が、個包装生理用ナプキン２３の開封面２７に固定されている。ここで、「開封面」とは、中の吸収性物品を取り出すことができる、包装用シートの開封口を有する面を意味する。
【００５８】
なお、図１２［ａ］及び［ｂ］は、第１の個包装体が個包装生理用ナプキンである例であるが、個包装生理用ナプキンの形状は、これに限定されず、例えば、生理用ナプキンが４つ折りタイプであるもの、さらに、包装用シートが、ピロー型包装体、三方シール型包装体、四方シール型包装体等を形成するものが含まれる。
同様に、第１の個包装体が、個包装パンティーライナー、個包装陰唇間パッド、個包装紙オムツ又は個包装タンポンである場合にも、第２の個包装体３を、図１２に示すように固定することができる。さらに、個包装パンティーライナー、個包装陰唇間パッド、個包装紙オムツ又は個包装タンポンの形状には、それらの包装用シートが、ピロー型包装体、三方シール型包装体、四方シール型包装体等を形成するものが含まれる。
【００５９】
本発明の個包装製品の態様の１つとして、固定部として感圧型両面接着テープを用いることにより、当該固定部の第２の個包装体に対する固定強度が、当該固定部の第１の個包装体に対する固定強度よりも高く、第２の個包装体を第１の個包装体から取り外した後に、上記固定部の少なくとも一部が第２の個包装体側に残る個包装製品を得ることができる。
例えば、感圧型両面接着テープを第１の圧力で第２の個包装体に固定した後、上記粘着剤を第１の圧力よりも小さい第２の圧力で第１の個包装体に固定することにより、上記固定部の第２の個包装体に対する固定強度を、上記固定部の第１の個包装体に対する固定強度よりも高くすることができる。
上記感圧型両面接着テープを用いる態様を、本明細書の他の態様と自由に組み合わせることができる。
【００６０】
さらに、本発明の個包装製品の態様の１つとして、第２の個包装体の固定部と接する面にコロナ処理を行うことができる。コロナ処理を行うことにより、処理された面の表面エネルギーが高くなり、上記固定部の第２の個包装体に対する固定強度がより高くなり、第２の個包装体を第１の個包装体から取り外した後に、固定部が第２の個包装体側により多く残ることが期待される。
上記コロナ処理を用いた態様を、本明細書の他の態様と自由に組み合わせることができる。
【００６１】
上述の各態様において、固定部の第１の個包装体に対する固定強度は、０．５Ｎ〜５．０Ｎの範囲内にあることが好ましく、１．０Ｎ〜４．０Ｎの範囲にあることがより好ましい。個包装製品は、外出時には、バッグ、ポーチ等の中で保管されることが多いが、上記固定強度が０．５Ｎ未満であると、保管時に第２の個包装体が第１の個包装体から外れ、バッグ、ポーチ内の種々の箇所に固定されてしまうので好ましくない。また、複数回の固定及び取り外しが繰り返されることにより、固定部の貼付力が落ち、使用時に、壁、ドア、衣服等に貼り付けることが難しくなる。
【００６２】
また、上記固定強度が５．０Ｎ超になると、第２の個包装体を第１の個包装体から取り外すために過度の力が必要になるので好ましくない。
なお、上述の離型部を用いる態様では、固定部の離型部に対する固定強度は、同様の理由で、０．５Ｎ〜５．０Ｎの範囲内にあることが好ましく、１．０Ｎ〜４．０Ｎの範囲にあることがより好ましい。
【００６３】
上記固定強度の測定は以下の通りである：第１の個包装体と、第２の個包装体とを、それぞれ、治具により把持し、次いで引張試験機（１００ｍｍ／分）により第２の個包装体（より正確には、固定部）を、第１の個包装体から引き剥がす際の力を測定する。当該引き剥がす際の力を固定強度とする。
上記引張試験機としては、例えば、インストロン社，シングルコラム試験システム，モデル３３４３を用いることができる。
【００６４】
なお、固定部の第２の個包装体に対する固定強度は、固定部の第１の個包装体に対する固定強度よりも大きければ、特にその強度は制限されるものではない。固定部の第２の個包装体に対する固定強度は、固定部の第１の個包装体に対する固定強度よりも十分に大きいことが好ましい。第２の個包装体を第１の個包装体から取り外した後に、固定部の少なくとも一部が第２の個包装体側に残りやすくなるからである。
【００６５】
また、上記固定部が第１の個包装体及び第２の個包装体を固定する面積は、それぞれ、第２の個包装体の、第１の個包装体に対向する部分の面積の５％以上であることが好ましく、１０％以上であることが好ましく、そして２０％以上であることがさらに望ましい。上述の面積が５％未満であると、第２の個包装体が第１の個包装体から外れやすくなるからである。
【００６６】
なお、上述の離型部を用いる態様では、固定部が離型部を固定する面積、及び離型部が第１の個包装体を固定する面積が、それぞれ、第２の個包装体の、第１の個包装体に対向する部分の面積の５％以上であることが好ましく、１０％以上であることが好ましく、そして２０％以上であることがさらに望ましい。
【００６７】
第２の個包装体を、第１の個包装体から取り外した後に、壁、ドア、衣服等に十分に貼り付けるためには、第１の個包装体から取り外した第２の個包装体が、貼付力を有すること、例えば、下記の試験方法において１．０Ｎ以上の貼付強度を有することが好ましい。
上記貼付強度の測定方法は、以下の通りである：第１の個包装体から取り外した第２の個包装体を、固定部が下になるようにしてかなきん４号の上に置き、質量２ｋｇのローラーを、４ｍ／秒の速度で、第２の個包装体上を１往復させることにより第２の個包装体をかなきん４号に貼り付ける。次いで、引張試験機（１００ｍｍ／分）を用いて、第２の個包装体をかなきん４号から引き剥がす際の力を測定して貼付強度とする。
上記引張試験機としては、例えば、インストロン社，シングルコラム試験システム，モデル３３４３を用いることができる。
【符号の説明】
【００６８】
１    個包装製品
２    第１の個包装体
３    第２の個包装体
４    包装用シート
５    シールライン
６    固定部
７    吸収性物品
８    包装体
９    ワイプス
１０    離型部
１１，１１’    凹凸部
１２    フック部
１３    タブ
１４    タブを具備するピロー型包装体
１５    第２の個包装体の、第１の個包装体と反対側の面
１６    第２の個包装体の、第１の個包装体と対向する面
１７    切込み線
１８    自由端
１９    一方の領域
２０    他方の領域
２１    タブの外面
２２    タブの内面
２３    個包装生理用ナプキン
２４    生理用ナプキン
２５    摘持用タブ
２６    非開封面
２７    開封面
【図１】
0005582760.tif 000002
【図２】
0005582760.tif 000003
【図３】
0005582760.tif 000004
【図４】
0005582760.tif 000005
【図５】
0005582760.tif 000006
【図６】
0005582760.tif 000007
【図７】
0005582760.tif 000008
【図８】
0005582760.tif 000009
【図９】
0005582760.tif 000010
【図１０】
0005582760.tif 000011
【図１１】
0005582760.tif 000012
【図１２】
0005582760.tif 000013